(57)【要約】【課題】エッジライト型のバックライトを備えた表示装置及びテレビジョン受信機において、薄型化を図りつつ、光源基板の熱を放熱板に効果的に伝達する。【解決手段】光源基板６の基板部６ａには発光素子６１が実装される。基板部６ａは放熱板８の上端部に熱的に接続される。光源基板６は延長部６ｂを有する。延長部６ｂは、放熱板８に沿って延び、この放熱板８に熱的に接続される。【選択図】図３
2019198017.tif 000002
【特許請求の範囲】
【請求項１】
正面に画像を表示する表示パネルと、
前記表示パネルの背面に対向して配置される導光板と、
前記導光板を通じて前記表示パネルに光を供給する発光素子が表面に実装され、該表面が前記導光板の一周縁に対向して配置された光源基板と、
前記導光板の前記表示パネルと反対側に位置する背面板を有し、外郭を構成する筐体と、
前記光源基板の裏面が熱的に接続され、前記背面板に沿って延びる放熱板と、を備え、
前記光源基板は、前記発光素子が実装された基板部と、前記放熱板に沿って延びる延長部と、を有し、該延長部は前記放熱板に熱的に接続されている
ことを特徴とする表示装置。
【請求項２】
前記放熱板は、前記背面板に沿って前記基板部から離れる第１方向に延び、
前記延長部は、前記第１方向に延びる
ことを特徴とする請求項１記載の表示装置。
【請求項３】
前記延長部は、前記基板部に対して前記第１方向に折れ曲がり、前記基板部と前記延長部とによりＬ字形状に構成されている
ことを特徴とする請求項２記載の表示装置。
【請求項４】
前記放熱板は、前記基板部に対して前記背面板と反対側に向かう第２方向に延びる膨出部を有し、
前記延長部は、前記膨出部に沿って延び、前記膨出部に熱的に接続されている
ことを特徴とする請求項１記載の表示装置。
【請求項５】
前記放熱板は、前記背面板に沿って延びる本体部と、該本体部の端部に形成された前記膨出部とにより、L字形状に構成され、
前記光源基板は、前記基板部と前記延長部とにより平板状に形成される
ことを特徴とする請求項４記載の表示装置。
【請求項６】
前記延長部は、Ｌ字状に形成され、
該延長部が前記膨出部の２つの面に熱的に接続されている
ことを特徴とする請求項４記載の表示装置。
【請求項７】
前記筐体は、前記表示パネルの下方に収納部を有し、
前記収納部には、前記放熱板が収納されている
ことを特徴とする請求項１から請求項６の何れか１項に記載の表示装置。
【請求項８】
請求項１から請求項７の何れか１項に記載の表示装置と、
テレビジョン放送を受信する受信部と、を備え、
前記受信部は、テレビジョン回路基板を有し、
前記テレビジョン回路基板は、前記放熱板に熱的に接続されており、
前記受信部で受信したテレビジョン放送に基づいて前記表示装置の表示パネルに映像を表示する
ことを特徴とするテレビジョン受信機。
【発明の詳細な説明】
【技術分野】
【０００１】
本発明は表示装置及びこれを含んだテレビジョン受信機に関し、特に、熱発生箇所の冷却構造に関する。
【背景技術】
【０００２】
従来、映像又は画像を表示する表示装置として、エッジライト型のバックライトを備えた液晶表示装置（Liquid crystal display LCD）が普及している。この液晶表示装置では、表示パネルの後面に配置した導光板の一側部に、発光素子（発光ダイオード  LED）を複数個備えた光源基板を配置し、それら発光素子の発光を導光板の側部から内部に入射して、導光板の前面からの出射光を表示パネルの背面に照射する構成が採用されている。
【０００３】
前記光源基板の発光素子は、発光時に内部抵抗により発熱が生じて高温となり、光源基板も熱伝達により高温になるため、光源基板を冷却する必要がある。
【０００４】
特許文献１では、光源基板（光源ユニット）を固定する固定フレームに２つの延長部を設けると共に、固定フレームを収納する収納容器に２つの開口部を形成して、固定フレームの２つの延長部を収納容器の２つの開口部から各々収納容器の外部に露出させて、固定フレームを放熱部材として光源基板の熱を収納容器周囲の外気に放出する構成を採用している。
【０００５】
また、特許文献２では、光源基板の形状を、平板状ではなく、光源基板の左右両端を各々一方面側に所定角度屈曲させた構造を採用している。特許文献２では、光源基板の屈曲構造は放熱を目的とせず、発光素子の放射光を前記屈曲させた部分で反射させることを目的としている。
【先行技術文献】
【特許文献】
【０００６】
【特許文献１】特開２０１１−８２１７６号公報
【特許文献２】特許５３３３７６５号
【発明の概要】
【発明が解決しようとする課題】
【０００７】
昨今の表示装置では、薄型の実現が求められる。このため、光源基板の熱を放熱する放熱部材の厚みを薄くし、その放熱板を表示装置の筐体の背面板に沿わせて延ばす構造を採用することが考えられる。
【０００８】
しかし、この構造では、放熱板の厚み部分（一側部）で光源基板を熱的に接続するため、その厚み幅が薄いほど光源基板から放熱板への放熱面積が少なく限られる。
【０００９】
本発明は、エッジライト型のバックライトを備えた表示装置において、薄型を図りつつ、光源基板と放熱板との接触面積を増大させて伝熱効果を高め、光源基板の放熱性能の向上を図ることを目的とする。
【課題を解決するための手段】
【００１０】
本発明に係る表示装置は、正面に画像を表示する表示パネルと、前記表示パネルの背面に対向して配置される導光板と、前記導光板を通じて前記表示パネルに光を供給する発光素子が表面に実装され、該表面が前記導光板の一周縁に対向して配置された光源基板と、前記導光板の前記表示パネルと反対側に位置する背面板を有し、外郭を構成する筐体と、前記光源基板の裏面が熱的に接続され、前記背面板に沿って延びる放熱板と、を備え、前記光源基板は、前記発光素子が実装された基板部と、前記放熱板に沿って延びる延長部と、を有し、該延長部は前記放熱板に熱的に接続されていることを特徴とする。
【００１１】
前記の構成では、放熱板を筐体の背面板に沿って延ばす構造であるので、放熱板の厚さを薄く形成すれば、表示装置の薄型化が可能である。また、光源基板は基板部とは別に延長部を有し、この延長部が放熱板に沿って延びて放熱板に熱的に接続されるので、光源基板と放熱板との接触面積が増大する。従って、放熱板の厚さが薄くても、発光素子の熱は、基板部と延長部の双方から放熱板に伝達して、放熱性能が向上する。
【発明の効果】
【００１２】
本発明によれば、表示装置の薄型化を図りつつ、光源基板と放熱板とを広い面積で接触させて、放熱性の向上を図ることが可能である。
【図面の簡単な説明】
【００１３】
【図１】実施形態１に係る表示装置の外観を示す斜視図である。
【図２】同表示装置の分解斜視図である。
【図３】同表示装置の要部を示す側断面図である。
【図４】同表示装置の光源基板及び放熱板部分の斜視図である。
【図５】同図（ａ）は実施形態２に係る表示装置の要部を示す側断面図、同図（ｂ）は放熱板の形状の変形例を示す図である。
【図６】同表示装置の光源基板及び放熱板部分の斜視図である。
【図７】実施形態３に係る表示装置の要部を示す側断面図である。
【図８】同表示装置の光源基板及び放熱板部分の斜視図である。
【図９】実施形態４に係るテレビジョン受信機の要部を示す側断面図である。
【発明を実施するための形態】
【００１４】
以下、本発明の実施形態を図面に基づいて説明する。
【００１５】
（実施形態１）
図１は、実施形態１に係る表示装置の外観を示す斜視図、図２は同表示装置の分解斜視図、図３は同表示装置の要部を示す側断面図である。これ等の図において、表示装置１は、画像表示用の表示パネル２を有する。この表示パネル２は、四角形状に形成され、その内部構造はアレー基板とカラーフィルタ基板との間に液晶を封入し、これ等の両面に偏光板を積層してなり、正面に画像を表示する。この表示パネル２の周縁部は、四角形状の筐体３の額縁部に覆われる。なお、以下の説明においては、通常使用する状態で配置された表示装置１について説明するものとし、鉛直方向を上下方向とする。また、表示装置１の表示パネル２の表示面に向かって見て、手前側を前方側とし、前方側とは反対側を後方側とし、水平方向を左右方向とする。 また、前方側の面を前面又は正面とも称し、正面とは反対側の面を後面又は背面とも称する。
【００１６】
図３に示すように、表示パネル２の背面には、表示パネル２と略同形状の光学シート４が積層され、この光学シート４の背面全面に導光板５が積層される。光学シート４は、拡散シート、レンズシート、偏光シートなどの樹脂製のシートを含む。導光板５は、アクリル樹脂などの透光性を有する樹脂製の平板の一面に反射シートを接着してなる光学部材であり、表示パネル２よりも若干小さい四角形状に形成される。
【００１７】
導光板５の背面には、筐体３の背面を構成する四角形状で平板状のバックライトシャーシ（背面板）３２が位置している。すなわち、背面板３２は、導光板５の表示パネル２と反対側に位置する。背面板３２には、図示しないが、その上部及び左右側部の周縁を前方側に折り曲げた側壁が形成される。この背面板３２は、アルミニウムなどの熱伝導率の高い金属製で構成される。背面板３２は、後述する収納部３１の背面を構成するように下方に延出された延出部３２ａを有する。更に、この延出部３２ａの下端部は、前記表示パネル２、光学シート４及び導光板５の下方を覆って位置するように前側に折り曲げた折曲部３２ｂに形成される。
【００１８】
導光板５の一周縁（下周縁）には、図３に示すように、近接して光源基板６が配置される。この光源基板６は、図２、図３及び図４に示すように、表示パネル２や導光板５の横方向（左右方向）長さと略同一の横幅（左右方向における長さ）を有する短冊状に形成される。そして、光源基板６には、導光板５の下周縁に対向する表面に沿って、光源基板６の横方向に同列状に、ＬＥＤなどの発光素子６１が複数個実装されている。発光素子６１の発光は、対向する導光板５の下周縁から導光板５内に入射し、導光板５の前面から光学シート４に出射され、光学シート４で拡散されて表示パネル２に照射される。
【００１９】
光源基板６の裏面（発光素子６１が配置された面とは反対側の面）には、その裏面に対向して四角形状のヒートスプレッダ（放熱板）８が配置される。放熱板８は、アルミニウムなどの熱伝導率の高い金属製で構成される。放熱板８は、光源基板６の横幅と同一幅か若干狭い横幅に形成され、光源基板６の裏面全体が放熱板８と熱的に接続される。この熱的に接続とは、光源基板６の裏面と放熱板８とを対向させて直接に面接触する接続形態のほか、光源基板６の裏面と放熱板８との間に伝熱シートやグリスなどの伝熱促進部材を介在させた接続状態を含む。この熱的な接続により、発光素子６１の発光時に生じた熱は光源基板６の裏面から放熱板８に伝達する。
【００２０】
前記放熱板８は、表示装置１の奥行き方向（前後方向）の長さ（厚さ）ｔが薄く形成される。この放熱板８の厚さｔは、本実施形態では、図３に示したように、放熱板８の前端面が表示パネル２の直下方の位置ないし背面板３２側に奥まった位置になるように形成されている。
【００２１】
前記放熱板８の厚さｔに合せて、光源基板６も、発光素子６１が実装された基板部６ａでの厚さが図４に示すように厚さｔに形成されて、発光素子６１の熱を基板部６ａから放熱板８の上面に伝達する基本構成となっている。
【００２２】
前記放熱板８は、光源基板６の基板部６ａと熱的に接続された上面から、その光源基板６の基板部６ａから離れる第１方向（下方向）に向って直線状に延びる。従って、放熱板８は、厚さｔで下方に延びる断面Ｉ字状に薄く形成される。この放熱板８は、その背面側が筐体３の背面板３２の延出部３２ａの前面に沿って延び、放熱板８の背面と背面板３２の延出部３２ａの前面とが対向している。
【００２３】
そして、放熱板８は、背面板３２の延出部３２ａに熱的に接続される。この熱的な接続は、例えば、放熱板８における光源基板６から離れた位置、例えば下端部近傍の位置にて、放熱板８の背面と背面板３２の延出部３２ａの前面とを面接触させて、その両者を締結ボルトで固定することを含む。また、放熱板８の背面全体と背面板３２の延出部３２ａの前面との間に、接着機能を有する伝熱シートやグリスなどの伝熱促進部材を介在させて、両者を接着することを含む。更に、放熱板８と背面板３２とを、アルミニウムなどの熱伝導率の高い同一材料で一体成形することを含む。
【００２４】
そして、図３及び図４に示すように、光源基板６には、基板部６ａの前端部から放熱板８に沿って第１方向（下方向）に延びる厚さの薄い平板状の延長部６ｂが基板部６ａと一体的に形成されている。従って、光源基板６は、表示装置１の前後方向に延びる平板状の基板部６ａと、この基板部６ａの前端部から下方に折れ曲がった平板状の延長部６ｂとによって、断面Ｌ字形状に形成される。
【００２５】
前記光源基板６の延長部６ｂには、発光素子６１は実装されていない。また、延長部６ｂの横幅（左右方向における長さ）は、基板部６ａの横幅と同一幅に形成される。この延長部６ｂの放熱板８の延びる方向（上下方向）の長さは、本実施形態では放熱板８の上下方向長さの半分以下に設定される。また、延長部６ｂの第１方向（下方向）における長さは、基板部６ａの前後方向の長さよりも大きい。そして、延長部６ｂの裏面（放熱板８側の面）全体は、放熱板８の前面に熱的に接続される。この熱的な接続は、既述の通り、直接に面接触する接続形態のほか、伝熱シートなどの伝熱促進部材を介在させた接続状態を含む。
【００２６】
図３において、表示装置１は、表示パネル２を支持するパネルシャーシ７を備える。パネルシャーシ７は、断面Ｌ字形状の２つの部材が上下に合わされた形状を有する板部材である。パネルシャーシ７は、光源基板６の基板部６ａ及び延長部６ｂを前側から覆うように位置付けされると共に、表示パネル２の下側面に沿って表示装置１の横幅方向に延びる。パネルシャーシ７の一端部（上端部）は表示パネル２と光学シート４との間に介在され、パネルシャーシ７の他端部（下端部）はその後面が放熱板８の前面に接続されている。
【００２７】
表示パネル２の下方には、収納部３１が設けられる。収納部３１は、カバー状であり、表示装置１の前側から背面板３２の延出部３２ａの内壁面を覆うように配置される。筐体３は、前記収納部３１、背面を構成する背面板３２及び表示パネル２の周縁を構成する額縁部により構成される。表示装置１は収納部３１を脚として平坦な台上に載置される。収納部３１及び背面板３２の延出部３２ａにより構成される内部空間には、前記光源基板６、放熱板８、パネルシャーシ７が収納されると共に、図示しないスピーカ、液晶駆動回路、電源回路などの電装部品が収納される。
【００２８】
表示装置１は、表示パネル２に映像や画像を表示するに際し、光源基板６の発光素子６１を発光させ、導光板５及び光学シート４を介して表示パネル２を背面から照明する。発光素子６１の発光時に生じる熱は、光源基板６の基板部６ａ及び延長部６ｂから、これらに熱的に接続された放熱板８に伝熱（熱伝導）する。放熱板８に熱伝導した熱は、放熱板８に熱的に接続された背面板３２の延出部３２ａに熱伝導し、この延出部３２ａの背面から周囲の外気と熱交換して放熱される。従って、例えば背面板３２に開口部を設けて、放熱板８の端部を背面板３２の開口部から後方に突出させて光源基板６の熱を放熱させる構成を採用する必要がない。
【００２９】
その放熱の際、放熱板８は、背面板３２の横幅、すなわち表示装置１の横幅と略同一幅の広面積の平板状に形成されると共に、背面板３２の延出部３２ａに沿って下方に延び、その両者の対向面同士が熱的に接続されているので、放熱板８から背面板３２への放熱面積は大きい。従って、放熱板８に熱伝導した熱は、効率良く背面板３２の延出部３２ａに熱伝導する。
【００３０】
また、放熱板８は、背面板３２の延出部３２ａに沿って光源基板６の基板部６ａから離れる方向に延びて、導光板５と光源基板６（基板部６ａ）と放熱板８が表示装置１の上下方向に並んだ状態となる。従って、放熱板８は導光板５と背面板３２の間に介在されない。更に、放熱板８は、表示装置１の側方（右側又は左側）から見て、前端面が表示パネル２及び導光板５の下方に位置するように厚さｔが薄く形成されている。従って、表示装置１は、表示パネル２と背面板３２との間隔を短くでき、薄型化を図ることが可能である。
【００３１】
更に、光源基板６は、基板部６ａに対し延長部６ｂが基板部６ａの前端部から下方に折れ曲がった断面Ｌ字形状に形成され、その延長部６ｂの後面（裏面）が放熱板８の前面に面接触して熱的に接続されている。従って、光源基板６の熱は、基板部６ａから放熱板８の厚さｔの上端部を通じて放熱板８内に熱伝導すると共に、延長部６ｂから放熱板８の前面部をも通じて放熱板８内に熱伝導する。よって、放熱板８の厚さｔが薄くても、光源基板６が基板部６ａのみからなる構成に比べて、延長部６ｂから放熱板８に熱伝導する分、光源基板６の熱を放熱板８に効率良く熱伝導させることができる。
【００３２】
また、収納部３１には、光源基板６、放熱板８、スピーカなどの電装部品を収納している。また、電装部品の一部を背面板３２の背面に配置する必要がない。よって、背面板３２の背面、すなわち表示装置１の背面をフラットな形状にすることが可能である。
【００３３】
更に、収納部３１は、背面板３２の延出部３２ａを覆うように表示装置１の下部に配置され、その収納部３１で覆って形成した内部空間に放熱板８やスピーカなどの電装部品を配置している。従って、表示装置１の重心を下部に位置させて、表示装置１を安定して載置することができる。
【００３４】
（実施形態２）
図５（ａ）は、実施形態２における表示装置１の要部を示す側断面図である。本実施形態では、光源基板６と放熱板８の形状を変更して、光源基板６から放熱板８への放熱性能の向上を図る。
【００３５】
図５（ａ）において、放熱板８は、背面板３２に沿って延びる本体部８ａと、断面四角形状の膨出部８ｂとから成る。本体部８ａは、実施形態１と同様に、平板からなる厚さｔの断面Ｉ字形状である。膨出部８ｂは、本体部８ａの光源基板６側の端部（上端部）に形成され、光源基板６の基板部６ａに対して背面板３２と反対側に向う第２方向、すなわち本体部８ａから表示装置１の前方側方向に延びている。従って、放熱板８は、Ｉ字形状の本体部８ａと、この本体部８ａの上端部から表示装置１の前方側に延びる膨出部８ｂとにより、Ｌ字形状に構成される。
【００３６】
前記膨出部８ｂの横幅（左右方向における長さ）は、図６に示すように、本体部８ａの横幅と同一幅に形成される。また、膨出部８ｂが表示装置１の前方側に延びる長さｋは、本体部８ａの厚さｔと同一又は若干厚い長さに設定される。
【００３７】
一方、光源基板６は、放熱板８の本体部８ａの一端部（上端部）に熱的に接続された基板部６ａと、この基板部６ａと一体形成されてこの基板部６ａから背面板３２の延出部３２ａと反対側に向って延びる平板状の延長部６ｂとを備える。この延長部６ｂは、膨出部８ｂに沿って延びている。従って、実施形態２では、光源基板６は、基板部６ａと、この基板部６ａの前端部から基板部６ａと直線状に延びる延長部６ｂとにより、平板状に構成されている。
【００３８】
前記光源基板６の延長部６ｂは、背面板３２と反対側に延びる長さが、前記放熱板８の膨出部８ｂの長さｋと同一長さに形成される。そして、この延長部６ｂは、その裏面（下面）が放熱板８の膨出部８ｂの一端面（上端面）に面接触して熱的に接続されている。
【００３９】
パネルシャーシ７は、前記放熱板８の膨出部８ｂ及びその上方の光源基板６の延長部６ｂを所定間隔隔てて覆う形状に形成される。
【００４０】
従って、本実施形態においては、光源基板６は基板部６ａに対して直線状に一体形成された延長部６ｂが、放熱板８に形成した膨出部８ｂの上端面に熱的に接続されている。従って、光源基板６の熱の一部は、延長部６ｂから放熱板８の膨出部８ｂを通じて放熱板８の本体部８ａ内に熱伝導する。よって、光源基板６が基板部６ａのみからなる構成に比べて、光源基板６の延長部６ｂから放熱板８の膨出部８ｂに熱伝導する分、光源基板６の熱を放熱板８に効率良く熱伝導させることができる。
【００４１】
しかも、放熱板８の膨出部８ｂの長さ及び光源基板６の延長部６ｂの長さは、放熱板８の本体部８ａの厚さｔと同一又は若干厚い長さｋに制限されているので、放熱板８全体の厚さを本体部８ａの厚さｔの２倍程度に抑えて、表示装置１の薄型化を確保することが可能である。
【００４２】
前記放熱板８の膨出部８ｂは、本実施形態では断面四角形状に構成したが、その形状は限定されず、例えば図５（ｂ）に示すように、膨出部８ｂの前端部を起点に本体部８ａの端部から離れる方向に向って斜め方向に傾斜する形状に構成しても良い。この構成では、光源基板６の延長部６ｂから放熱板８の膨出部８ｂに伝達された熱は、放熱板８の本体部８ａの上端部を経ず、放熱板８の本体部８ａの下方に向って伝達されるので、光源基板６の熱をより効率良く伝達することが可能である。
【００４３】
（実施形態３）
図７は、実施形態３における表示装置１の要部を示す側断面図である。図８は実施形態の光源基板６及び放熱板８周りの斜視図である。本実施形態では、実施形態１と実施形態２とを組み合わせた構成を採用する。
【００４４】
具体的に、本実施形態では、放熱板８は、実施形態２と同様に、Ｉ字形状の本体部８ａと、本体部８ａの一端部（上端部）から背面板３２と反対側方向に延びる膨出部８ｂとを有する。この膨出部８ｂが表示装置１の前方方向側に延びる長さｋは、本体部８ａの厚さｔと同一又は若干厚い長さである。
【００４５】
一方、光源基板６は、発光素子６１が実装された基板部６ａと、Ｌ字形状の延長部６ｂとを有する。この延長部６ｂは、基板部６ａの前端部から基板部６ａと直線状に背面板３２と反対側に向って延びる水平部６ｂｈと、この水平部６ｂｈから放熱板８の延びる方向（下方向）に折れ曲がった垂直部６ｂｖとを有する。水平部６ｂｈの長さは、膨出部８ｂの長さｋと同一長さである。この水平部６ｂｈと垂直部６ｂｖとによりＬ字形状を構成する。この延長部６ｂの横幅は図８に示すように膨出部８ｂの横幅と同一幅に形成される。
【００４６】
前記光源基板６の延長部６ｂでは、水平部６ｂｈの裏面（下面）は、放熱板８の膨出部８ｂの光源基板６側の端面（上端面）に面接触して熱的に接続される。また、垂直部６ｂｖの裏面（後面）は、放熱板８の膨出部８ｂにおける背面板３２と反対側の端面（前端面）に面接触して熱的に接続される。
【００４７】
パネルシャーシ７は、前記放熱板８の膨出部８ｂ及び光源基板６のＬ字形状の延長部６ｂを所定間隔隔てて覆う形状に形成される。
【００４８】
本実施形態では、光源基板６の延長部６ｂに伝導した熱は、延長部６ｂの水平部６ｂｈから放熱板８の膨出部８ｂの上端面を経て膨出部８ｂの内部に伝導すると共に、延長部６ｂの垂直部６ｂｖから放熱板８の膨出部８ｂの前端面を経て膨出部８ｂの内部に伝導する。従って、光源基板６のＬ字形状の延長部６ｂを放熱板８の膨出部８ｂの２つの面（上端面と前端面）に面接触させて、接触面積を多く確保できるので、光源基板６の熱を放熱板８により一層効率良く伝導させることが可能である。
【００４９】
しかも、光源基板６の延長部６ｂでは、垂直部６ｂｖが表示装置１の上下方向に延びているので、放熱板８の膨出部８ｂの長さｋを実施形態２と同様に本体部８ａの厚さｔと同一又は若干厚い長さに制限できる。従って、表示装置１の薄型化を確保できる。
【００５０】
実施形態１〜３では、光源基板６の基板部６ａや延長部６ｂは、平板状やＬ字状に形成したが、その形状は限定されず、種々の接触面積を拡大する形状、例えば波型、のこぎり型などを採用しても良い。
【００５１】
また、放熱板８を断面Ｉ型に形成し、その背面を背面板３２の延出部３２ａの前面に熱的に接続したが、放熱板８の形状は断面Ｉ型に限定されず、その背面が平面であれば良い。
【００５２】
更に、導光板５の下側部に光源基板６を配置したが、光源基板６は導光板５の左又は右側部や上側部に配置しても良い。
【００５３】
（実施形態４）
図９は、実施形態４におけるテレビジョン受信機の要部を示す側断面図である。本実施形態では、図３に示した表示装置１にテレビジョン回路を備えた構成である。
【００５４】
具体的に、表示装置１の収納部３１には、テレビジョン放送を受信する受信部（図示せず）のテレビジョン回路基板９が配置される。このテレビジョン回路基板９は、一面を放熱板８の前面に対向させて放熱板８と熱的に接続されている。
【００５５】
テレビジョン回路基板９で発生した熱は、放熱板８を介して背面板３２の延出部３２ａに熱伝導し、その延出部３２ａから背面周囲の外気に放熱される。従って、放熱板８を光源基板６及びテレビジョン回路基板９の熱放熱用に共用することができ、部品点数を削減することができる。
【００５６】
本発明は、その精神又は主要な特徴から逸脱することなく、他の種々な形で実施することができる。そのため、上述の実施形態は例示に過ぎず、限定的に解釈してはならない。本発明の特許請求の範囲の均等範囲に属する変形や変更は、全て本発明の範囲内のものである。
【産業上の利用可能性】
【００５７】
本発明は、エッジライト型のバックライトを備えた表示装置及びテレビジョン受信機に適用して、有用である。
【符号の説明】
【００５８】
１          表示装置
２          表示パネル
３          筐体
５          導光板
６          光源基板
６ａ        基板部
６ｂ        延長部
６ｂｈ      水平部
６ｂｖ      垂直部
６１        発光素子
８          放熱板
８ａ        本体部
８ｂ        膨出部
９          テレビジョン回路基板
３１        収納部
３２        背面板
【図１】
2019198017.tif 000003
【図２】
2019198017.tif 000004
【図３】
2019198017.tif 000005
【図４】
2019198017.tif 000006
【図５】
2019198017.tif 000007
【図６】
2019198017.tif 000008
【図７】
2019198017.tif 000009
【図８】
2019198017.tif 000010
【図９】
2019198017.tif 000011